(57)【要約】【解決手段】更新可能な送信機がバリアーの位置を制御するために、オペレータと共に使用される。オペレータは、受信した無線周波数送信と記憶された連続番号とを比較する制御器を含み、その制御器は、無線周波数送信が記憶された連続番号のいずれかひとつと一致するときバリアーを移動させることができる。送信機は、エンコーダを支承するハウジングを含む。機能ボタンがハウジングに支承され、ここでボタンの作動は標準的方法以外で、新規な連続番号を発生させ、連続番号は制御器により突き止められ、更新可能な送信機は無線周波数送信を放出することにより、バリアーを動かすことができる。
2005520958.tif 000002
【特許請求の範囲】
【請求項１】
バリアーの位置を制御するオペレータであって、
使用者変更可能な連続番号を有する、少なくとも一つの無線周波数送信機であって、該送信機に対応する無線周波数送信を無線周波数送信するための送信機と、
第一の無線周波数送信機からの第一の無線周波数送信を受信し、使用者変更可能な連続番号をもつ第二の無線周波数送信機からの第二の無線周波数送信を受信する無線周波数受信機と、
複数の記憶保存位置をもつメモリーと、
制御される制御器連続番号位置ポインターを有する制御器と
を含み、
前記制御器は、第一の無線周波数送信機に対応する第一の記憶された連続番号を、制御器連続番号位置ポインターから導出される前記複数の記憶保存位置のひとつに記憶するために、前記第一の無線周波数送信の、前記無線周波数受信機による受信に応答し、
前記制御器は、第二の無線周波数送信機に応答する第二の記憶された連続番号を、制御器連続番号位置ポインターから導出される前記複数の記憶保存位置の他のものものに記憶するために、前記第二の無線周波数送信の、前記無線周波数受信機による受信に応答し、
前記制御器は、作動モードに応答しかつバリアーを移動するために、前記第一の記憶された連続番号の記憶保存の後に、前記第一の無線周波数送信の受信に応答し、さらに、前記操作連続番号に応答しかつバリアーを移動するために、前記第一および第二の記憶された連続番号の記憶保存の後に、前記第二の無線周波数送信の受信に応答する、
ところのオペレータ。
【請求項２】
前記制御器連続番号位置ポインターが、ソフトウエア制御のコード位置ポインターからなる、請求項１に記載のオペレータ。
【請求項３】
前記制御器がマイクロプロセッサからなる、請求項１に記載のオペレータ。
【請求項４】
バリアーの位置を制御するオペレータであって、
使用者変更可能な連続番号を有する、少なくともひとつの無線周波数送信機であって、当該送信機に対応する無線周波数送信を無線周波数送信する無線周波数送信機と、
第一の無線周波数送信機から第一の無線送信を受信し、第二の使用者変更可能な連続番号を有する第二の無線周波数送信機から第二の無線周波数送信を受信する無線周波数受信機と、
複数の記憶保存位置を含むメモリーと、
前記無線周波数受信機に接続される制御器と、
を含み、
前記制御器は受信した無線周波数送信と、前記複数の記憶保存位置に記憶された、突き止められた連続番号と比較し、ここで前記制御器は、前記無線周波送信のひとつが前記複数の記憶保存位置に記憶された前記突き止められた連続番号の一つと整合したときに、バリアーを移動することができる、ところのオペレータ。
【請求項５】
前記少なくともひとつの無線周波数送信機が、第一の方法で作動したとき、所定の機能を実行し、第二の方法で作動したとき、前記使用者変更可能な連続番号を変化させる機能ボタンを含む、請求項４に記載のオペレータ。
【請求項６】
前記無線周波数送信機が、製造者のキーおよび現在の連続番号で、最初にプログラム化されるエンコーダを含み、前記第二の方法で前記機能ボタンが作動すると、前記エンコーダは、前記現在の連続番号を前記製造者のキーで暗号化し、新規の連続番号を発生させる、請求項５に記載のオペレータ。
【請求項７】
前記エンコーダが前記新規な連続番号を前記製造者のキーで暗号化し、新規な暗号化キーを発生される、請求項６に記載のオペレータ。
【請求項８】
前記プロセッサが、前記使用者変更可能な連続番号を記憶する前に、学習モードに置かれる、請求項５に記載のオペレータ。
【請求項９】
バリアーの位置を制御できるオペレータであって、受信した無線周波数送信と記憶された連続番号とを比較する制御器を含み、その制御器が、無線周波数送信と記憶された連続番号とが整合したときにバリアーを移動させることができる、ところのオペレータとともに使用される修正可能な送信機であって、
ハウジングと、
該ハウジング内に支承されるエンコーダと、
前記ハウジング内に支承される機能ボタンと、
を含み、機能ボタンが作動すると、前記エンコーダが、制御器により突き止めることができる新規な連続番号を発生させ、当該修正可能な送信機が、無線周波数送信を放出することにより、バリアーを移動させることができる、
ところの修正可能な送信機。
【請求項１０】
前記機能ボタンが、前記新規な連続番号を発生させるために、前記機能ボタンの通常の機能に対する典型的は方法以外の方法で作動することができる、請求項９に記載の送信機。
【請求項１１】
前記エンコーダが最初、製造者のキーでプログラム化され、前記現在の連続番号が、前記新規な連続番号を発生させるために、前記機能ボタンの作動により、製造者のキーで暗号化され、前記エンコーダは前記製造者のキーで前記新規な連続番号を暗号化し、新規な暗号化キーを発生させる、請求項１０に記載の送信機。
【請求項１２】
前記機能ボタンが前記ハウジング内に支承され、前記ハウジングを開くことによってのみアクセスすることができる、請求項９に記載の送信機。
【請求項１３】
バリアーを移動させることができるオペレータと共に使用する、新規な送信器連続番号を発生させ、突き止める方法であって、
オペレータ内に、無線周波数送信を受信できる受信機をもつ制御器を与える工程と、
前記制御器に接続され、連続番号に基づくコードを中に記憶して有するメモリー装置を与える工程と、
少なくとも、無線周波数送信を放出できるエンコーダを中に支承し、さらに前記エンコーダを作動するための少なくともひとつの機能ボタンを中に支承する送信機ハウジングを与える工程と、
前記少なくともひとつの機能ボタンの作動により、前記エンコーダにより送信することができる、新規な連続番号を発生させる工程と、
を含む方法。
【請求項１４】
前記発生工程が、第一の所定時間間隔の間、前記少なくとも一つの機能ボタンを押圧して維持し、前記ボタンの押圧が前記第一の所定時間間隔の経過前に開放されると、指定の機能を実行する、請求項１３に記載の方法。
【請求項１５】
前記発生工程がさらに、前記第一の所定時間間隔が経過した後、前記少なくともひとつの機能ボタンの押圧を開放する工程を含む、請求項１４に記載の方法。
【請求項１６】
前記発生工程がさらに、
第二の所定時間間隔の間、前記少なくともひとつの機能ボタンを押圧して維持する工程、および
前記第一の所定時間間隔が経過した後、前記少なくともひとつの機能ボタンの押圧が開放されないと、前記新規な連続番号の発生を中止する工程、
を含み、
前記少なくともひとつの機能ボタンは、前記少なくともひとつの機能ボタンの押圧が開放されたとき、第三の所定時間間隔内で、押圧されなければならない、
ところに請求項１５に記載の方法。
【請求項１７】
前記発生工程がさらに、
前記第二の時間間隔の経過後、前記少なくともひとつの機能ボタンを開放する工程、および
前記少なくとのひとつの機能ボタンの押圧が前記第二の時間間隔の経過前に、開放されると、前記新規な連続番号の発生を中止する工程、
を含む、請求項１６に記載の方法。
【請求項１８】
前記発生工程がさらに、
前記少なくともひとつの機能ボタンの押圧が、前記第二の時間間隔経過後に開放されないと、前記新規な連続番号の発生を中止する工程を含む、請求項１７に記載の方法。
【請求項１９】
さらに、前記第一および第二の時間間隔が経過したことを示すため、刺激を発する工程を含む、請求項１３に記載の方法。
【請求項２０】
前記発生工程が、
前記新規な連続番号を形成するために、現在の連続番号を製造者のキーで暗号化する工程、および
新規な暗号化キーを形成するために、前記新規な連続番号を製造者のキーで暗号化する工程、
を含む請求項１３に記載の方法。
【請求項２１】
さらに、
前記制御器を、突き止めモードにする工程と、
前記制御器が前記突き止めモードにないとき、前記新規な連続番号を受信すると、オペレータがバリアーを移動させるように、前記新規な連続番号を、前記新規な連続番号を突き止めるための前記制御器に送信するために、前記エンコーダを作動させる工程と、
を含む、請求項１３に記載の方法。
【請求項２２】
前記発生工程が、前記少なくともひとつの機能ボタンを、標準的でない方法で作動させる工程を含む、請求項１３に記載の方法。
【請求項２３】
さらに、前記ハウジングを開けて、前記少なくともひとつの機能ボタンにアクセスする工程を含む、請求項１３に記載の方法。
【発明の詳細な説明】
【技術分野】
【０００１】
本発明は、一般的に、固定部材に対して可動な閉鎖部材上に使用するガレージドアオペレータに関する。特に、本発明は、可動なバリアーのオペレータとともに使用する、予めプログラム可能な送信機に関する。とりわけ、本発明は、可動なバリアーのオペレータとともに使用する、ローリングコードタイプの送信機で、新規な連続番号を発生することができる送信機に関する。
【背景技術】
【０００２】
便利さを図るために、ガレージドアの開閉移動をなすために、モータを利用するガレージドアが広く知られている。モータはまた、ゲート、窓、伸縮自在なオーバーハングなどといった、他のタイプの可動なバリアーに連結されている。ドアに関し、モータおよび関連した機能を制御するために、オペレータが使用されている。オペレータは、ドアの開閉の目的で、ワイヤレスリモート装置、配線された壁ステーション装置、または他の同様の装置から命令信号を受信する。バリアーを検知する目的で、オペレータに接続される安全装置を設けることは知られおり、その結果オペレータは、バリアーの取り込みを避けるべく、モータの動作を修正する。
【０００３】
限定された位置の間で、ガレージドアまたは可動なバリアーを移動することを助ける際、モータを作動し、ドアを所望の方向に移動させるために、無線周波数または赤外線を受信するリモート受信機を使用することが知られている。これらリモート装置は、使用者が、車から出ることなく、ガレージドアを開閉できるようにする。これらリモート装置は、複数のドアを制御できること、ドアに関連した光を放つことといった特徴、その他セキュリティの特徴を備えることもできる。従来技術で知られているように、リモート装置およびオペレータは、コードが盗まれ、後に違法に使用されることが不可能なように、動作サイクル毎に、変化させるコードを備えている。動作サイクルはバリアーの開閉、オペレータなどに接続された光源のオン、オフを含む。
【０００４】
リモート制御装置がオペレータと協働して、ガレージの移動を制御すべく、オペレータは各送信機に対して、特定のコードを突き止める（learn）ために、プログラムされなければならない。以前は、無線制御は、送信機および受信機の両方のために、データをセットするための、テン回路DIPスイッチのようなコードセット可能なスイッチを利用していた。送信機および受信機のコードスイッチの両方は、送信機が受信機の出力を作動させるために、整合しなければならない。この技術は、十分にユニークなコード化を可能とせず、コードのコピー、不正なアクセスが比較的容易である。したがって、このプロセスは、ガレージのドアの作動のために、送信機および受信機のコードのセットを、同じセットに切り換えることを必要とする。
【０００５】
現在、ガレージドアの無線制御の多くは、固定コードフォーマット（各送信に対して同じデータが送られる）、またはローリングコードフォーマット（送信毎に、データの一部または全部が変わる）のいずれかを使用する。固定コード送信機（固定アドレスまたは固定連続番号送信機としも知られている）が指定され、製品の製造の間、送信機の不揮発性メモリー内に工場にてプログラムされている。このことは、可能なコード（1024または19,683から百万）の数を増加させ、DIPスイッチをなくした。このことはまた、コードが、DIPスイッチ送信機の場合にように、可視的になることを防止し、したがってコードの盗難を防止している。しかし、固定コードの使用の欠点は、近くでトランシーバ（送信機と受信機が一体となったもの）により有効なコードが受信され、後に、受信機を作動させるためにコードが送られることにより、電子的に盗まれ得ることである。受信機を作動するために、あらゆる可能な固定コードを増加させる送信機を作ることは可能である。コードの数は、DIPスイッチシステムよりも多いことから、可能なコード毎に要する時間が非常に増加する。しまも、盗まれる可能性もある。
【０００６】
ローリングコード送信機は固定コード送信機と類似するが、しかし、少なくともアドレスの一部（コードまたは連続番号として知られている）は送信機の操作毎に変化する。送信機および対応する受信ユニットは、送信/受信のための次のコードが何であるかを決定するためのアルゴリズムを使用する。適切なコードののみが受信機を作動させる。両装置の欠点は、その組み立ての間、工場でプログラム化され、使用者は送信機のコードを変更することが出来ない。
【発明の開示】
【発明が解決しようとする課題】
【０００７】
このようなローロングコードシステムは（特許文献１）（これはガレージドアや他の可動なバリアーのリモート制御のための装置を記述する）に開示されている。開示されたシステムは、オペレータが利用可能な、リモート送信機のために、非常の多くのコードを使用する。ここで、各送信機はそれ自身ユニークで、使用者が変更不可能な永久的なコードを有する。受信機が送信されたひとつ以上のコードにより作動することができるように、異なる送信機に対してコードを突き止め、保存することができる受信機を含み、したがってひとつ以上の送信機が同じガレージのドアを作動することができる。従来技術には利点があるが、前記のシステムは、送信機の構成を変更できないという欠点がある。このことを言い換えると、受信機を作動する送信機を自動的に突き止めることができない。したがって、使用者が送信機の連続番号を変更することができる送信機の必要性がある。
【特許文献１】米国特許第RE36.703号明細書
【課題を解決するための手段】
【０００８】
本発明のひとつの態様（以下の詳細な説明により明らかになろう）が、バリアーの位置を制御するための、以下を含むオペレータにより達成できる。オペレータは、使用者変更可能な連続番号を有する、少なくとも一つの無線周波数送信機であって、その送信機に対応する無線周波数送信を無線周波数送信するための送信機と、第一の無線周波数送信機からの第一の無線周波数送信を受信し、使用者変更可能な連続番号をもつ第二の無線周波数送信機からの第二の無線周波数送信を受信する無線周波数受信機と、複数の記憶保存位置をもつメモリーと、制御される制御器連続番号位置ポインターを有する制御器とを含む。制御器は、第一の無線周波数送信機に対応する第一の記憶された連続番号を、制御器連続番号位置ポインターから導出される前記複数の記憶保存位置のひとつに記憶保存するために、前記第一の無線周波数送信の、前記無線周波数受信機による受信に応答する。前記制御器は、第二の無線周波数送信機に対応する第二の記憶された連続番号を、制御器連続番号位置ポインターから導出される前記複数の記憶保存位置の他のものものに記憶するために、前記第二の無線周波数送信の、前記無線周波数受信機による受信に応答する。前記制御器は、作動モードに応答しかつバリアーを移動するために、前記第一の記憶された連続番号の記憶保存の後に、前記第一の無線周波数送信の受信に応答し、さらに、前記操作連続番号に応答しかつバリアーを移動するために、前記第一および第二の記憶された連続番号の記憶保存の後に、前記第二の無線周波数送信の受信に応答する。
【０００９】
本発明の他の態様は、バリアーの位置を制御するオペレータによるもので、そのオペレータは、使用者変更可能な連続番号をそれぞれが有する、少なくともひとつの無線周波数送信機であって、当該送信機に対応する無線周波数送信を無線周波数送信する無線周波数送信機と、第一の無線周波数送信機から第一の無線送信を受信し、第二の使用者変更可能な連続番号を有する第二の無線周波数送信機から第二の無線周波数送信を受信する無線周波数受信機と、複数の記憶保存位置を含むメモリーと、前記無線周波数受信機に接続される制御器とを含み、制御器は受信した無線周波数送信と、前記複数の記憶保存位置に記憶された、突き止めた連続番号と比較し、ここで前記制御器は、前記無線周波送信のひとつが前記複数の記憶保存位置に記憶された前記突き止めた連続番号の一つと整合したときに、バリアーを移動することができる。
【００１０】
本発明のさらに他の態様は、バリアーの位置を制御することができるオペレータと共に使用される修正可能な送信機によるもので、ここでオペレータは制御器を含み、制御器は、無線周波数が記憶された連続番号のひとつと整合するとき、制御器がバリアーを移動できるように、受信した無線周波数送信と記憶された連続番号とを比較する。送信機は、ハウジング、該ハウジングにより支承されるエンコーダ、前記ハウジングにより支承される機能ボタンを含み、ここで、前記機能ボタンが作動されると、前記エンコーダは制御器により突き止めることができる新規な連続番号を発生させることができ、修正可能な送信機が無線周波数送信を放出することによりバリアーを移動することができる。
【００１１】
さらに、本発明の他の態様は、バリアーを移動することができるオペレータとともに使用する、新規な送信連続番号を発生させ、突き止める方法によるもので、当該方法は、無線周波数送信を受信することができる受信機を有する制御器をオペレータに与える工程と、前記制御器に接続されるメモリー装置（該メモリー装置は、中に記憶される、連続番号に基づくコードを有することができる）を与える工程と、無線周波数送信を放出することができるエンコーダを少なくと中に支承し、さらに前記エンコーダを作動し、少なくともひとつのボタンを中に支承する送信機ハウジングを与える工程と、前記少なくともひとつのボタンの作動で前記エンコーダにより送信することができる新規な連続番号を発生させる工程とを含む。
【００１２】
本発明のこれらおよび他の態様、ならびに既存技術を超えた利点は、以下の説明により明らかになり、下述しそして特許請求の範囲における改良点により達成される。
【発明を実施するための最良の形態】
【００１３】
本発明の目的、技術、構成を完全に理解するために、以下の記述および添付図面が参照されるべきである。
【００１４】
本発明の思想を組み込むガレージドアオペレータシステムが、図１において、符号10により一般的に示されている。システム10は、符号12により一般的に示されている在来のガレージドアと関連して使用される。ドア12は反ピンチタイプのドアであっても、それでないドアであってもよい。開閉のためにドアが配置されるところの開口部は、符号14により一般的に示されているフレーム14によって囲まれ、このフレームは、図１に示されているように、ほぼ平行かつ床から垂直に上方に伸長する一対の、間隔があけられわき柱16から成る。わき柱16は間隔があけられ、かつヘッダ18によって上方端部で連結され、ドア12のための開口部の周りに、ほぼ逆U字形状フレーム14を形成している。フレーム14は、ドア12を支持しかつ制御する要素の取り付けを容易にしかつ補強するために、通常は木材または他の構造材料から作られている。
【００１５】
L字形状垂直部材20がわき柱16に固定されているが、この部材20は、わき柱16に取り付けられた脚部22、および各脚部22から直角に伸長する突出脚部24を有する。L字形状垂直部材20はまた、関連する特定のフレームおよびガレージドアに依存した他の形状をもってもよい。各突出脚部24にトラック26が取り付けられ、このトラックは各突出脚部24から直角に伸長する。各トラックはガレージドア12の頂端部から伸長するローラ28を受け入れている。付加的なローラ28がまた、開放位置と閉鎖位置との間での移動を容易にするために、ガレージドアの各セクションの垂直な頂端部に設けられてもよい。
【００１６】
開放位置と閉鎖位置との間で移動するガレージドア12のおもさを均衡化するために、符号30で一般的に示されている均衡化システムが使用されている。均衡化システムの一例が、特許文献２（ここに参考文献として組み込まれる）に開示されている。一般的に、均衡化システム30は、図２によく示されているように、オペレータ機構34を含み、ヘッダ18に取り付けられているハウジング32を含む。オペレータハウジング32を貫通して、駆動シャフト36が伸長し、そのシャフトの両端は、各突出脚部24に取り付けられたケーブルドラム38を支持する。特許文献２の特許に説明されている均衡スプリングが駆動シャフト36内で支持されている。ヘッダに取り付けられたオペレータが特にここで記載はされるが、以下で記述する制御の特徴は、可動なバリアーとともに使用される他のタイプのオペレータにもひとしく適用することができる。たとえば、制御ルーティンガレージドアを動かすために使用されるトロリータイプのオペレータ内に容易に組み込むことができる。
【特許文献２】米国特許第5,419,010号明細書
【００１７】
駆動シャフト36は閉鎖位置と開口位置との間で、ガレージドアを移動するために、必要な機械的な動力を伝える。ハウジング32において、駆動シャフト36は駆動ギアに連結され、駆動ギアは、当業者には周知の方法でモータに連結される。
【００１８】
要するに、均衡システム30は、ハウジング41をもつワイヤレスリモート送信機40、またはハウジング44をもつ壁ステーション制御器42（システム30に直接接続されるもの、または無線周波数または赤外線信号で通信できるものでもよい）により制御することができる。壁ステーション制御器42はリモート送信機40にはない、付加的で任意の特徴をもつ。いずれにせよ、両装置は、システム30に連結されたドアの開閉移動を開始することができる。本発明がユニット式ガレージドアについて説明はされるが、本発明の教示は、一枚パネルドア、ゲート、窓、格納式オーバーハングのような他のタイプの可動バリアー、および一領域を少なくとも部分的に囲む装置にも等しく適用することができる。
【００１９】
オペレータ機構が、図２において、符号34により一般的に示されているが、ハウジング32内にあり、以下で記述するように、オペレータ機構34に連結されたモータや他の要素の動作をモニターする。電源は、上記要素を付勢するために使用される。
【００２０】
オペレータ機構34は必要なソフトウエア、ハードウエア、オペレータ機構34を制御するための記憶装置を組み込む制御器52を含む。オペレータ機構34の動作に関連して制御器により利用される情報を恒久的に記憶するための不揮発性記憶装置54と制御器52とが電気的に通信する。赤外線および/または無線周波数信号が受信機56により受信され、その受信機は制御器内に含まれるデコーダに、受信情報を送信する。制御器52は、受信した無線周波数信号または他のタイプのワイヤレス信号を、利用可能な形式に変換する。適切なアンテナが、所望の信号を受信するため、受信機56により利用されることが分かるであろう。制御器52が、壁ステーション42への直接的な接続により明らかなように、直接的な電線ソースからの送信タイプの信号を、直接受信することができることは分かるであろう。いずれにせよ、多数のリモート送信機40a−xが、受信機56により受信され、さらに必要に応じて、制御器により処理される信号を送信することができる。同様に、壁ステーションが多数あってもよい。リモート送信機40または壁ステーション制御42のいずれかから受信した信号が受け入れ可能であると、制御器52はモータ60を付勢するための適切な電気信号を発生し、モータは、順に駆動シャフト36を回転させ、可動なバリアーを開閉する。独立してまたは開閉サイクルが開始したとき、スイッチがオン、オフすることができる光源62がまた制御器52に接続されてもよい。
【００２１】
図３において、壁ステーションの略示電気回路図が符号70により一般的に示されている。壁ステーションハウジング44が壁ステーション回路70のほとんどの要素を含む限り、壁ステーション回路70が壁ステーション42内に含まれることが分かるであろう。あるオペレーション機能の開始を望むとき、操作できるように、ハウジングから外に伸長する複数の外部要素がある。これら外部要素は複数のボタン74a−fを含む。ボタン74は、ドアの開閉移動のため、オペレータに関連したリモート送信機を突き止める（learn）ため、ドアまたは他の機能に対して、ペットの高さをセットするために使用することができる。発光ダイオード（LED）76が、ハウジング44から部分的に突き出し、利用者がステーションおよびそれに関連要素の状況を知るために利用できる。ボタン74のひとつは、二重目的用のボタン74cである。壁ステーションの通常のまたは最初の操作において、ボタン74cが使用されて、光がオンまたはオフとなる。しかし、以下で詳説するように、ボタン74cは、ユーザによる変更が可能なコードのボタンとして機能するように、標準的でない方法で起動するようにしてもよい。内部ボタンまたは隠しボタンがハウジング44に含まれ、これは壁ステーションを使用する者により直ちには利用できない。隠しボタン75はユーザにより変更可能なコード（UCC）ボタンとして機能するが、ボタン74cとは異なる実行シーケンスをもつものである。壁ステーション回路70は、当業者には容易に特定可能な種々の内部要素78を含む。
【００２２】
エンコーダ82がハウジング44内に含まれる内部要素のひとつで、適切な信号を変換器52に送信することができる、必要なハードウエア、ソフトウエアおよびメモリーを備える制御器をベースとした装置である。特に、エンコーダ82はMicrochip Technology社の部品番号PICCE519のような装置である。このような装置は、プロセッサ、パワーランチおよび切り換え要素、EEPROMデバイス、プログラムの指示を受信する入力ポート、データを送信し、LED76を制御する出力ポートを利用する。エンコーダ82はボタン74a−fおよび75の全てに電気的に接続され、ボタンのそれぞれに関連するスイッチからの入力信号を受信する。
【００２３】
図４において、同様の回路構成がリモート送信機40に対して示されている。特に、リモート送信機は送信機回路84を含み、その送信機回路は、ハウジングから伸長するボタン88a−cのような、複数の外部要素をもまた有する送信機回路84を含む。これらいろいろなボタンにより、ひとつのリモート送信機が、異なるオペレータ機構とともに使用することができる。送信機40もまた、送信機40の動作状況を示す、外に伸長するLED90を含む。ボタン88aのひとつは、通常または第一の動作で、そのボタンの通常の作動に応答するようにプログラムされたバリアーの開閉サイクルを開始するために使用される。しかし、壁ステーション制御42のボタン74cと同様に、ボタン88aもまた、使用者変更可能なコードボタンのように、非標準方法で機能してもよい。内部または隠しボタン89がハウジング４１内に含まれ、利用者がリモート送信機を使用して容易にはアクセスすることはできない。隠しボタン89は、使用者変更可能なボタン88aとして（ただし、ボタン88aとは異なる実行シーケンスで）機能する。送信機は、壁ステーション装置に対して、上記エンコーダ82のような、基本的に類似する動作機能をもつエンコーダ94をもつ。かくして、エンコーダ96は、スイッチ88a−cおよび89に電気的に接続され、各ボタンと関連するスイッチから入力信号を受信する。
【００２４】
図５および図６において、リモート送信機40または壁ステーション42により放出される送信機コードを変更する方法が符号100により一般的に示されている。ここに記述の方法は、外部からアクセス可能なボタン74cおよび88aを使用して、リモート送信機および壁ステーション制御の両方に適用することができる。当業者には分かるように、以前のシステムは、リモート送信機および壁ステーション送信機のそれぞれに工場でプログラムされた、予め定められた連続番号を使用した。特定の受信機で送信機を操作することが望まれていなかった場合、使用者は、そのために連続番号を変化させる方法をもたない。本発明の方法は次の工程を利用して、この問題を解決する。
【００２５】
新規な連続番号を発生させる手順は、ボタン74cまたは88aを押すことにより、工程102で開始する。前述したように、リモート送信機または壁ステーションのいずれかが、送信機に対して、新規な連続番号を与えるために用いられる。ボタン74cまたは88aのいずれか（使用者がコードを変化させることができる（UCC）ボタンという）により、使用者が連続番号を変化させることできる。工程104で、使用者は新規な連続番号を発生させるための一連の工程を始める。要するに、好適実施例では工程104で、使用者が明らかにリモートまたは壁ステーション送信機の連続番号を変化させることを望んでいることを明確にすべく、一連のボタン操作がなされる。言い換えると、使用されるべきボタンが使用者により容易に利用可能であることから、工程106−115において説明される、一連の工程が、連続番号を不注意で変えてしまうことを不可能にしている。したがって、一連の工程が容易に利用できるボタンを使用して、連続番号を変化させる好適な方法と考えられてはいるが、ひとつ以上のボタンを使用する他の同様の連続操作、異なる時間間隔でのボタン操作、または異なる回数の時間間隔が、送信機の連続番号コードを変化させる目的のために、用いることができる。
【００２６】
工程106で、エンコーダ96、82は、使用者変更可能なコードボタン74cまたは88aが、所定の時間間隔、たとえば約10秒間維持されているかどうかを判定する。ボタン74cまたは88aが維持され、所定の時間間隔経過前に離されると、ボタンの所定の機能のみが、工程108で実行される。ボタン74cまたは88aが時間間隔T1の間、押されていると、LED76または90はひかり、RF送信が放出される。しかし、ボタン74cまたは88aが工程106で、（図６で示されているように、時間間隔T1の間）所定の時間維持され、工程106で、時間間隔T2、LED76または90の点滅が開始したときに、ボタンの押圧が開放されると、連続したプロセスが可能となる。しかし、工程110で、ボタン74cまたは88aの押圧が時間間隔T2内で開放されないと、プロセスは工程111で中断する。ボタン74cまたは88aの押圧が開放されると、LED76または90の点滅は止み、RF送信が停止する。時間間隔の経過が迫ってきたことを示すために、点滅するLED光を使用するかわりに、可聴または触覚刺激が発生されてもよいことは分かるであろう。
【００２７】
工程110で、無事完了したとき、工程112で、使用者は、予め決定された時間間隔T3内（好適には、使用者変更可能なコードボタンの押圧を開放している四秒以内）で、時間間隔T4の間、使用者変更可能なボタン74cまたは88aを押し続けなければならない。工程112でUCCボタンが再度押されると、LED76または90は約5秒間点灯する。この期間の終わりで、ボタンが依然として維持されていると、LEDは、T5で示された時間間隔、好適な実施例では約4秒間点滅し始める。工程112で、ボタン74cまたは88aが時間間隔T3内で押されないと、プロセスは工程113で中止される。
【００２８】
工程114で、ボタン74cまたは88aの押圧が指定の時間間隔T5内で開放されると、プロセスは、新規の連続番号を発生する工程116へ、そして新規な暗号化キーを発生する工程118へと続く。しかし、ボタン74cまたは88aが時間間隔T5（LEDが約4秒間点滅する）内で開放されないと、使用者変更可能なコードのシーケンスが工程115で中止される。
【００２９】
図７に、工程116で新規な連続番号の発生に用いられる工程が示されている。最初に、新規な連続番号の発生は、工程200で元々の28ビット数（現在の連続番号）、および工程202で64ビット数（現在の製造者のキー）で開始する。次ぎに、工程204で、送信機または壁ステーション内のエンコーダは32ビット数を形成するために、最上位4ビットを加える。この新規な32ビット数と64ビットの製造者キーの両方が、工程206でアルゴリズムにより暗号化される（順に工程208で新規な32ビット数値を発生する）。工程210で、エンコーダは、既存の連続番号の最下位21ビットを、新規な32ビット数値から導出される新規な最下位21ビットで置き換える。これら最下位21ビットは、工程212で新規な28ビットを発生させるために、元々の連続番号の残りの7ビットと関連して用いられ、使用される。これに代え、新規な28ビット連続番号は、真のランダム数発生器により発生されてもよい。
【００３０】
図８において、工程118で、新規な暗号化キーを発生するプロセス工程が示されている。特に、プロセス118は、工程212からの新規な28ビット数および工程202からの製造者キーである64ビット数を利用することを含む。工程220で、最上位4ビットが、32ビット数を発生させるために、28ビット数に加えられる。この32ビット数と64ビット製造者キーは、新規な32ビット暗号化キーを発生させるために、エンコーダ内に含まれる、秘密で複雑な数学的なアルゴリズムと組み合わされる。新規な連続番号および新規な暗号化キーはつぎに、66ビッドワードを発生させるための送信機により用いられ、その66ビットワードは、識別機能用の6ビット（これは送信され、オペレータにより受信可能で、最終的に適切な機能を実行するように解読される）を含む。もちろん、新規な連続番号をもつ送信機は、下述するように特定のオペレータに対して突き止められなければならない。
【００３１】
新規な連続番号を発生させる工程の一部として、エンコーダ内に含まれるソフトウエアが擬似ランダム数発生器を利用することは分かるであろう。外部から見る者または使用者にとって擬似ランダムの発生はランダム数発生器によるが、しかし、発生器は、新規な連続番号を発生させるために、“シーズ（seed）値”（既存の連続番号）を使用する。特定の“シーズ値”を発生器に加えることは、同じ結果値を常に生成する。エンコーダで、埋め込まれた暗号化アルゴリズムを利用することは、新規な連続番号を発生させるために、有効な方法であると分かった。
【００３２】
これに代えて、所望ならば、新規な連続番号の発生が、ひとつの、限定されたアクセスである、使用者変更可能なコードボタン80または94の作動により達成することができる。限定されたアクセスボタン80または94は、使用者が不注意でこのようなボタンを起動することがないように、各ハウジングに納められている。この場合、使用者は、ハウジングを物理的あけて、つぎに上述のように工程102、116または118で指定された新規な連続番号の発生を実行するために、ボタンを作動する。これは、新規な連続番号を発生する他の方法で、上記した工程104での一連の工程を必要としない。
【００３３】
図９において、操作フローチャート（送信機または壁ステーションが、新規な連続番号をオペレータと関連付けるための使用される）が符号250により一般的に示めされている。工程252で、使用者はオペレータを突き止めモードにおく。これは、壁ステーション制御器42上の突き止めボタンを押圧することで、または他のいろいろな方法でなすことができる。これは、制御器52に新規な連続番号を受け入れるための用意をさせる。つぎに、工程254で、使用者は、新規な連続番号を、制御器52により受信されるように、リモート装置または壁ステーション上の通常の送信ボタンを押すことにより送信する。工程256で、制御器は、連続番号が妥当であること、および無線周波数送信で送信された他の全ての情報が適切でかつ正しく、さらに制御器が記憶装置54に新規な連続番号を記憶したことを証明する。この工程が完了すると、突き止めモードは、工程258を自動的に出て、オペレータは操作モードに戻る。
【００３４】
以上のように、上述した発明により種々の効果を奏することは当業者には容易に分かるであろう。本発明で、エンコーダの、埋め込まれたコードのホッピングシステムを使用することにより、使用者は、送信機に新規な連続番号を自己発生させることようにすることができる。このことは自動的に突き止めなくなり、以前突き止めたオペレータまたは受信機装置の操作を送信機ができないようにする。このことは、盗難のあった送信機またはリモート装置の利用を防止するという安全の目的に使用できる。
【００３５】
ここに開示された構成および方法によりひとつまたはそれ以上の目的が達生されることは明らかであろう。特許の法令に基づき、最適な態様、好適な実施例が細説されたが、本発明はこれに限定されない。したがって、本発明の思想、範囲は特許請求の範囲によりなされるものである。
【図面の簡単な説明】
【００３６】
【図１】図１は、ガレージドアの断面、および本発明の思想を実施する、操作機構を示す斜視図である。
【図２】図２は、本発明にしたがったオペレータのブロック図である。
【図３】図３は、本発明に使用される壁ステーション送信機の略示電気回路図である。
【図４】図４は、本発明に使用されるリモート送信機の略示電気回路図である。
【図５】図５は、新規な連続番号コードを発生する、本発明の送信機および壁ステーションが使用する操作フローチャートである。
【図６】図６は、新規な連続番号の発生を示すタイミング連続チャートである。
【図７】図７は、新規な連続番号コードを発生するための、送信機および壁ステーションが使用する操作フローチャートである。
【図８】図８は、新規な暗号化キーを発生するための、送信機および壁ステーションが使用する操作フローチャートである。
【図９】図９は、新規な連続番号を突き止めるための、オペレータが使用する操作フローチャートである。
【図１】
2005520958.tif 000003
【図２】
2005520958.tif 000004
【図３】
2005520958.tif 000005
【図４】
2005520958.tif 000006
【図５】
2005520958.tif 000007
【図６】
2005520958.tif 000008
【図７】
2005520958.tif 000009
【図８】
2005520958.tif 000010
【図９】
2005520958.tif 000011
【国際調査報告】
2005520958.tif 000012
2005520958.tif 000013
2005520958.tif 000014